(57)【要約】【課題】マンコンベアの運転状態表示を視認性の高い簡易な構成で提供する。【解決手段】エスカレータ１は、利用者が乗る踏段と、踏段の両側に立設された透明部材からなる一対の欄干パネル４と、欄干パネル４の上端に踏段の動きと同期して移動する移動手摺３と、透明部材に、踏段の移動方向に所定間隔をもって配設される複数の光源５a乃至５c、・・・光源９a乃至９cと、複数の光源を踏段の移動方向後方から移動方向前方に向かって移動するように順次点滅駆動する光源制御手段を有する。【選択図】図１
2018150143.tif 000002
【特許請求の範囲】
【請求項１】
利用者が乗る踏段と、
前記踏段の両側に立設された透明部材からなる一対の欄干パネルと、
前記欄干パネルの上端に前記踏段の動きと同期して移動する移動手摺と、
前記透明部材に、前記踏段の移動方向に所定間隔をもって配設される複数の光源と、
前記複数の光源を点滅駆動する光源制御手段と、 
を備えることを特徴とするマンコンベア。
【請求項２】
前記光源制御手段は、
前記複数の光源を前記踏段の移動方向後方から移動方向前方に向かって移動するように順次点滅駆動すること、
を特徴とする請求項１に記載のマンコンベア。
【請求項３】
前記光源制御手段は、前記踏段が定格速度で運転する場合、前記複数の光源を、前記踏段の移動方向後方から移動方向前方に向かって第１速度で移動するように順次点滅駆動させ、
前記踏段が定格速度より低速の待機速度で運転する場合、前記複数の光源を、前記踏段の移動方向後方から移動方向前方に向かって前記第１速度よりも低速の第２速度で移動するように順次点滅駆動させること、
を特徴とする請求項２に記載のマンコンベア。
【請求項４】
前記第１速度は、前記踏段の定格速度より高速であること、
を特徴とする請求項３に記載のマンコンベア。
【請求項５】
前記光源制御手段は、前記踏段が運転停止している場合、前記複数の光源全てを、同期して点滅駆動させること、
を特徴とする請求項１乃至請求項４のいずれか１項に記載のマンコンベア。
【請求項６】
前記欄干パネルは前記踏段の進行方向に対して複数の欄干パネル片に分割され、
隣接する前記欄干パネル片は接続部で接し、
前記接続部を挟んだ隣接する前記光源間の距離が、１枚の欄干パネル片内に配設された隣接する光源間の距離と略等しいこと、
を特徴とする請求項１乃至請求項５のいずれか1項に記載のマンコンベア。
【請求項７】
前記複数の光源は前記欄干パネルの板厚内に配設されること、
を特徴とする請求項１乃至請求項６のいずれか１項に記載のマンコンベア。
【発明の詳細な説明】
【技術分野】
【０００１】
本発明は、エスカレータや動く歩道等のマンコンベアにおける運転状態の表示に関する。
【背景技術】
【０００２】
マンコンベアの運転方向を表示するため、欄干パネル下方のアウターデッキに設けた光源から欄干パネルに貼り付けた蛍光フィルムに向かって光を照射する技術が提案されている（例えば特許文献１）。
【０００３】
特許文献１は、欄干パネルの移動方向における所定位置に所定間隔をもって貼り付けられた蛍光フィルムに順次光を照射することにより、マンコンベアの運転方向を目視確認させることにより、構成の簡素化を図り、低価格を実現すると共に意匠性を損なうことが無いようにしたマンコンベアの提供を目的としている。
【０００４】
特許文献１のマンコンベアは、一対の欄干パネルの少なくとも一方の欄干パネルの下部に踏段（踏み板）の移動方向に延設されたアウターデッキの所定位置に、該踏段（踏み板）の移動方向に所定間隔をもって配列され、点灯して該欄干パネルの反踏段（踏み板）側外壁面を斜め下方から照射する複数の第１光源を備えている。また、欄干パネルの反踏段（踏み板）側外壁面の複数の第１光源による照射領域が踏段（踏み板）の移動方向前方に移動するように該複数の第１光源を踏段（踏み板）の移動方向の後方に位置する第１光源から前方に順次点滅駆動する制御手段を備えている。そして、第１光源からの光を吸収して蛍光を発する蛍光フィルムが、欄干パネルの反踏段（踏み板）側外壁面に、複数の第１光源により照射されるように配設されている。
【０００５】
特許文献１のマンコンベアによると、移動方向に向かって、蛍光フィルムが第１光源から照射された光を吸収して蛍光を発することにより、運転方向を目視確認させている。
【先行技術文献】
【特許文献】
【０００６】
【特許文献１】特開２００６−０７６７１９号公報
【発明の概要】
【発明が解決しようとする課題】
【０００７】
本発明は、マンコンベアの運転状態表示を視認性が高い簡易な構成で提供する。
【課題を解決するための手段】
【０００８】
本発明の一態様に係るマンコンベアは、利用者が乗る踏段と、踏段の両側に立設された透明部材からなる一対の欄干パネルと、欄干パネルの上端に踏段の動きと同期して移動する移動手摺と、透明部材に、踏段の移動方向に所定間隔をもって配置される複数の光源と、複数の光源を点滅駆動する光源制御手段とを有する。
【０００９】
本発明の一態様に係るマンコンベアは、複数の光源を踏段の移動方向後方から移動方向前方に向かって移動するように順次点滅駆動する光源制御手段を有する。
【００１０】
本発明の一態様に係るマンコンベアは、踏段が定格速度で運転する場合、複数の光源を、踏段の移動方向後方から移動方向前方に向かって第１速度で移動するように順次点滅駆動させ、踏段が低速で運転する場合、複数の光源を、踏段の移動方向後方から移動方向前方に向かって第１速度よりも低速の第２速度で移動するように順次点滅駆動させる光源制御手段を有する。
【００１１】
本発明の一態様に係るマンコンベアは、踏段が運転停止している場合、複数の光源全てを、同期して点滅駆動させる光源制御手段を有する。
【００１２】
本発明の一態様に係るマンコンベアは、欄干パネルが踏段の進行方向に対して複数の欄干パネル片に分割され、隣接する欄干パネル片は接続部で接し、接続部を挟んだ２つの光源間の距離が、１枚の欄干パネル片内に配置された光源間の距離と略等しいことを特徴とする。
【００１３】
本発明の一態様に係るマンコンベアは、欄干パネルの板厚内に配置される複数の光源を有する。
【発明の効果】
【００１４】
本発明に係るマンコンベアによると、視認性の高い運転状態表示を簡易な構成で提供することができる。
【図面の簡単な説明】
【００１５】
【図１】本発明の実施形態に係るマンコンベアの構成を示す図
【図２】本発明の実施形態に係るマンコンベアの装置構成を示すブロック図
【図３】本発明の実施形態に係る欄干パネル片の拡大図
【図４】本発明の実施形態に係る欄干パネル片の拡大断面図
【発明を実施するための形態】
【００１６】
本発明の実施の形態について、図面を参照して説明する。なお、以下の各実施形態において、同様の構成要素については同一の符号を付している。また、以下の説明において、運転状態表示には、運転方向表示及び運転休止しているとの表示を含むものとする。
【００１７】
１．マンコンベアについて
実施形態に係るマンコンベアについて、以下説明する。
【００１８】
１−１．構成
実施形態に係るマンコンベアについて、図１および図２を参照して説明する。図１は、本実施形態に係るマンコンベアの構成を示す図である。また、図２は、実施形態に係るマンコンベアの装置構成を示すブロック図である。
【００１９】
本実施形態に係るマンコンベアは、例えばエスカレータである。エスカレータ１は異なった階床間（図１において図示せず）に掛け渡されている。また、図１に示すように、エスカレータ１は、主枠２と、利用者が乗る踏段（図１において図示せず）と、主枠２に立設された一対の欄干パネル４（図１においては一方の欄干パネルのみ図示）と、踏段の動きと同期して移動する移動手摺３が各欄干パネル４の周縁部(上部)に案内レール（図１において図示せず）を介して配設されている。以下エスカレータ１の掛け渡された下側の階床を下階と称し、上側の階床を上階と称して説明する。
【００２０】
欄干パネル４は、踏段の移動方向に対して複数の欄干パネル片に分割される。図１の例では、欄干パネル片４a乃至４eの５枚に分割されている。
【００２１】
欄干パネル片４a乃至４eは透明部材からなる。例えば、透明部材はガラス、アクリル等である。各欄干パネル片４a乃至４eには、それぞれ方向案内灯５乃至９が配設されている。方向案内灯５乃至９のそれぞれは、所定間隔をもって配設された複数の光源によって構成されている。
【００２２】
図１においては、各欄干パネル片４a乃至４eのそれぞれに３個の光源が配設されている。具体的には、図１に示すとおり、方向案内灯５乃至９のそれぞれは、光源５a乃至５c、・・・光源９a乃至９cによって構成されている。例えば、光源５a乃至５c、・・・光源９a乃至９cは、ＬＥＤやＥＬ等である。なお、光源５a乃至５c、・・・光源９a乃至９cは、踏段側および踏段と反対側の両側から、点灯および点滅が目視できる態様で配設されている。 
【００２３】
エスカレータ１の機械室（図１において図示せず）には、エスカレータ１を制御するマンコンベア制御部１３と、光源５a乃至５c、・・・光源９a乃至９cの点滅を制御する光源制御手段１２として光源制御部１２aと光源の所定のまとまり毎にドライバ１２b乃至１２fが配設されている。本実施形態においては、各欄干パネル片４a乃至４e毎に、ドライバ１２b乃至１２fが配設されている。
【００２４】
ドライバ１２b乃至１２fはそれぞれ光源制御部１２aに接続され、光源５a乃至５c、・・・光源９a乃至９cはそれぞれドライバ１２b乃至１２fに接続されている。なお、光源５a乃至５c、・・・光源９a乃至９cとドライバ１２b乃至１２f は電気的に接続されているが、欄干パネル片４a乃至４eにおける配線は、透明電極によって配線されるのが好ましい。
【００２５】
マンコンベア制御部１３は、例えばＣＰＵを備え、エスカレータ１の全体動作を制御する。例えば、マンコンベア制御部１３は、機械室に配設された駆動装置（図１において図示せず）を駆動して、踏段の動きを制御する。また、例えば、マンコンベア制御部１３は、利用者が一定時間いない場合に踏段の動きを定格速度よりも低速の待機速度に制御し、さらに利用者が一定時間いない場合、踏段の動きを停止してエスカレータ１が休止するように制御する。再び、利用者が発生した場合は、運転休止状態から、定格速度に増速するように制御する。
【００２６】
光源制御部１２aは、マンコンベア制御部１３と電気的に接続されており、マンコンベア制御部１３からエスカレータ１の運転方向情報、運転速度情報および運転休止情報等を取得する。
【００２７】
また、光源制御部１２aは、光源５a乃至５c、・・・光源９a乃至９cの各光源について、点滅駆動させるようにドライバ１２b乃至１２fを制御する。具体的には、各光源の点灯および消灯するタイミング、順序および長さ等を制御する。
【００２８】
なお、図２において光源制御部１２aはマンコンベア制御部１３と別体として記載されているが、マンコンベア制御部１３内のＣＰＵ等で光源制御部１２aと同様の制御を行っても良い。
【００２９】
１−２．動作
以下、本実施形態に係るエスカレータ１の動作について図１及び図２を参照して説明する。
【００３０】
本実施形態に係るエスカレータ１はマンコンベア制御部１３の制御によって、下階から上階へ踏段を移動させ（上り運転）、または上階から下階へ踏段を移動させること（下り運転）を選択することができる。上り運転と下り運転の選択は例えばキースイッチによって行われる。
【００３１】
マンコンベア制御部１３によってエスカレータ１が上り運転を行っている場合、マンコンベア制御部１３より運転方向（上り運転）の情報を取得した光源制御部１２aは、ドライバ１２b乃至１２fを介して、光源５a乃至５c、・・・光源９a乃至９cを下階から上階に向かって移動するように順次点滅駆動させる。
【００３２】
一方、マンコンベア制御部１３によってエスカレータ１が下り運転を行っている場合、マンコンベア制御部１３より運転方向（下り運転）の情報を取得した光源制御部１２aは、ドライバ１２b乃至１２fを介して、光源５a乃至５c、・・・光源９a乃至９cを上階から下階に向かって移動するように順次点滅駆動させる。
【００３３】
具体的には上り運転の場合、光源５aを所定時間点灯してその他の光源は消灯させる。次に光源５aを消灯すると共に光源５bを所定時間点灯する。さらに、光源５bを消灯すると共に光源５cを所定時間点灯する。このように順次光源５a乃至９cまで点灯および消灯を行い、踏段の移動方向端部にある光源９cまで到達したら、次に光源９cを消灯すると共に光源５aを点灯し、順次光源５a乃至９cまで点灯および消灯を繰り返す。同様に下り運転の場合、光源９cを所定時間点灯してその他の光源は消灯させる。次に光源９cを消灯すると共に光源９bを所定時間点灯する。さらに、光源９bを消灯すると共に光源９aを所定時間点灯する。このように順次光源９c乃至５aまで点灯および消灯を行い、踏段の移動方向端部にある光源５aまで到達したら、次に光源５aを消灯すると共に光源９cを点灯し、順次光源９c乃至５aまで点灯および消灯を繰り返す。
【００３４】
本実施形態において、踏段の移動方向に対して下階（または上階）から同じ距離にある、一対の欄干パネル４の一方の欄干パネルに配設された各光源と、他方の欄干パネルに配設された各光源は、同期して点灯および消灯する。
【００３５】
２．まとめ
以上のように、本実施形態に係るエスカレータ１は、利用者が乗る踏段と、踏段の両側に立設された透明部材からなる一対の欄干パネル４と、欄干パネル４の上端に踏段の動きと同期して移動する移動手摺３と、透明部材に、踏段の移動方向に所定間隔をもって配設される複数の光源５a乃至５c、・・・光源９a乃至９cと、複数の光源５a乃至５c、・・・光源９a乃至９cを踏段の移動方向後方から移動方向前方に向かって移動するように順次点滅駆動する光源制御部１２aとを有する。
【００３６】
以上のエスカレータ１によると、本発明に係るマンコンベアによると、透明部材からなる欄干パネル４の鉛直方向の所定の高さにおいて、踏段の移動方向前方に向かって光点が流れるように移動するため、視認性の高い運転方向表示を提供することができる。また、従来技術のように、アウターデッキに光を照射する光源を配設し、欄干パネルに蛍光フィルムを配設する必要が無いため、視認性の高い運転方向表示を簡易な構成で提供することができる。
【００３７】
また、本実施形態において、踏段が定格速度で運転する場合、複数の光源５a乃至５c、・・・光源９a乃至９cを踏段の移動方向後方から移動方向前方に向かって第１速度で移動するように順次点滅駆動させ、踏段が待機速度で運転する場合、複数の光源５a乃至５c、・・・光源９a乃至９cを踏段の移動方向後方から移動方向前方に向かって第１速度より低速な第２速度で移動するように順次点滅駆動させることもできる。
【００３８】
これにより、視認性の高い運転方向表示を簡易な構成で提供するだけでなく、踏段が定格速度で運転しているか待機速度で運転しているかの表示をも、利用者に対して視認性が高く簡易な構成で提供することができる。なお、利用者は、光点の移動速度の違いから直感的に踏段が定格速度で運転しているか待機速度で運転しているかを判断することができる。
【００３９】
また、本実施形態において、複数の光源５a乃至５c、・・・光源９a乃至９cを踏段の移動方向後方から移動方向前方に向かって移動するように順次点滅駆動させる第１速度を、踏段の定格速度より高速にすることもできる。
【００４０】
これにより、利用者が踏段に乗り込む直前においても運転方向を認識することができ、視認性の高い運転方向表示を簡易な構成で提供できることに加え、運転方向の誤認識による利用者の誤乗車を防止するという効果を得ることもできる。
【００４１】
また、本実施形態において、光源制御手段１２は、踏段が運転停止している場合、複数の光源５a乃至５c、・・・光源９a乃至９cの全てを、同期して点滅駆動させることもできる。
【００４２】
これにより、エスカレータ１が運転休止しているとの表示を、利用者に対して視認性が高く簡易な構成で提供することができる。なお、利用者は、エスカレータ１の運転時に光点が移動していることとの対比から直感的にエスカレータ１が運転休止していることを認識することができる。
【００４３】
また、本実施形態において、光源制御手段１２は、踏段が運転停止している場合、複数の光源５a乃至５c、・・・光源９a乃至９cを、ランダムに点滅駆動させることもできる。
【００４４】
これにより、エスカレータ１が運転休止しているとの表示を、利用者に対して視認性が高く簡易な構成で提供することができる。なお、利用者は、エスカレータ１の運転時に光点が移動していることとの対比から直感的にエスカレータ１が運転休止していることを認識することができる。
【００４５】
また、本実施形態において、欄干パネル４は、踏段の移動方向に対して複数の欄干パネル片４a乃至４eの５枚に分割されている。図１において、欄干パネル片４a乃至４eにはそれぞれ３個の光源が配設されている。具体的には、下階側端部の欄干パネル片４aには光源５a乃至５cが、欄干パネル片４bには光源６a乃至６cが、欄干パネル片４cには光源７a乃至７cが、欄干パネル片４dには光源８a乃至８cが、欄干パネル片４eには光源９a乃至９cが配設されている。以下、欄干パネル片４a乃至４eにおける光源５乃至９の配設間隔について図３を用いて説明する。図３は図1における欄干パネル片４b付近を拡大した図である。なお、欄干パネル片４b以外の他の欄干パネル片についても同様の構成であるため、説明を省略する。
【００４６】
図３において、１０は欄干パネル片４aと欄干パネル片４bが接する接続部であり、１１は欄干パネル片４bと欄干パネル片４cが接する接続部である。欄干パネル片４bには、光源６a乃至６cが配設されている。また、欄干パネル片４aの接続部１０側には、光源５cが配設され、欄干パネル片４cの接続部１１側には、光源７aが配設されている。
【００４７】
本実施形態において、光源６a乃至６cは移動手摺３と平行な方向に距離Ｌ１で等間隔に配設されている。また、欄干パネル片４aの光源５cと接続部１０との移動手摺３と平行な方向の距離はＬ２である。また、接続部１０と光源６aとの移動手摺３と平行な方向の距離はＬ３である。また、光源６cと接続部１１との移動手摺３と平行な方向の距離はＬ４である。さらにまた、接続部１１と欄干パネル片４cの光源７aとの移動手摺３と平行な方向の距離はＬ５である。ここで本実施形態において、光源間の移動手摺３と平行な方向の距離を
Ｌ１＝Ｌ２＋Ｌ３
Ｌ１＝Ｌ４＋Ｌ５
とすることもできる。
【００４８】
これにより、欄干パネル４は欄干パネル片４a乃至４eに分割されるが、複数の光源５a乃至５c、・・・光源９a乃至９cは移動手摺３と平行な方向に等間隔で配設されることになる。従って、一定のテンポで踏段の移動方向前方に向かって光点が流れるように移動することになり、滑らかで視認性の高い運転方向表示を簡易な構成で提供できることができる。なお、一定のテンポで踏段の移動方向前方に向かって光点が流れるように移動するため、利用者が違和感を覚えることもない。なお、上述した実施形態においては、欄干パネル４を５枚の欄干パネル片４a乃至４eに分割した場合について説明したが、欄干パネル４を少なくとも２枚の欄干パネル片に分割した場合であれば、同様の作用、効果を得ることができるのは当然である。また、上述した実施形態においては、１枚の欄干パネル片に３つの光源を配設した場合について説明したが、１枚の欄干パネル片に光源を少なくとも２つ配設した場合であれば、同様の作用、効果を得ることができるのは当然である。
【００４９】
また、本実施形態において、複数の光源５a乃至５c、・・・光源９a乃至９cは欄干パネルの板厚内に配設することもできる。具体的な構成について図４を用いて説明する。図４は光源６a部分の鉛直方向断面である。図４において、欄干パネル片４bは踏段側パネル４１bと反踏段側パネル４２bと接合部４３bとで構成されている。踏段側パネル４１bと反踏段側パネル４２bと接合部４３bは例えば接着材で貼着されている。また、踏段側パネル４１bと反踏段側パネル４２bは例えば強化ガラス板であり、接合部４３bは例えば可塑性の透明樹脂である。接合部４３bには光源６aが配設される。光源６aは例えばＬＥＤである。さらに接合部４３bには光源６aから透明電極が主枠２に向かって配線され、主枠２内の配線を介してドライバ１２b乃至１２fへ接続される。
【００５０】
これにより、視認性の高い運転方向表示を簡易な構成で提供することができ、さらに、欄干パネル４の光源が突出しないため意匠性の高い運転方向表示を提供することができる。なお、光源６aはＥＬ等別の光源であっても良く、踏段側パネル４１bと反踏段側パネル４２bは透明樹脂板であっても良い。また、接合部４３bを可塑性の透明樹脂として説明したが、接合部４３bは樹脂製透明フィルムであっても良い。また、説明は欄干パネル片４bおよび光源６aについて行ったが、他の欄干パネル片および光源についても同様であるため、説明を省略する。
【００５１】
（他の実施形態）
また、上記の実施形態において、複数の光源の内、踏段の移動方向後方から移動方向前方に向かって移動するように１つの光源が順次点滅駆動するとして説明したが、複数の光源が１つのまとまりとして踏段の移動方向後方から移動方向前方に向かって移動するように順次点滅駆動する場合であっても同様の作用、効果を得ることができるのはもちろんである。
【００５２】
また、上記の実施形態において、一対の欄干パネル４の一方の欄干パネルに配設された各光源と、他方の欄干パネルに配設された各光源のそれぞれを、踏段の移動方向後方から移動方向前方に向かって異なった速度で移動するように順次点滅駆動させても良い。この場合、視認性の高い運転方向表示を簡易な構成で提供するだけでなく、演出性を向上させることができる。
【００５３】
また、上記の実施形態において、踏段の移動方向後方から移動方向前方に向かって移動するように順次点滅駆動するとして説明したが、踏段の移動方向後方から移動方向前方に向かって移動するように順次点滅駆動する途中で、所定の距離（または時間）を踏段の移動方向前方から移動方向後方に向かって移動するように順次点滅駆動した後、再び踏段の移動方向後方から移動方向前方に向かって移動するように順次点滅駆動させても良い。つまり、光源が行きつ戻りつ、踏段の移動方向後方から移動方向前方に向かって移動するように順次点滅駆動させるのである。この場合、視認性の高い運転方向表示を簡易な構成で提供するだけでなく、演出性を向上させることができる。
【００５４】
また、上記の実施形態において、マンコンベアをエスカレータとして説明したが、動く歩道であっても同様の作用、効果を得ることができるのはもちろんである。
【００５５】
また、上記の実施形態において、マンコンベアの欄干パネルは踏段の移動方向傾斜角度に対して垂直に分割する場合で説明したが、欄干パネルを鉛直方向に切断した場合であっても同様の作用、効果を得ることができるのはもちろんである。
【００５６】
上記の実施形態において、複数の光源を踏段の移動方向後方から移動方向前方に向かって移動するように順次点滅駆動するとして説明したが、一方の欄干パネルの踏段の移動方向端部まで光源の点滅が到達した後、他方の欄干パネルの踏段の移動方向端部より複数の光源を踏段の移動方向前方から移動方向後方に向かって移動するように順次点滅駆動しても良い。この場合、光源による光が一対の欄干パネルを周回するように流れ、演出性を向上させることができる。
【００５７】
本発明は、上述した実施の形態に限定されず、各実施形態において種々の変形が適宜、行われてもよい。また、個々の実施形態で説明した種々の特徴を組み合わせて、更なる実施の形態とすることも可能である。上述した実施形態は例示であり、本発明は上記の実施形態に限定されない。本発明の範囲は上記した説明ではなく特許請求の範囲によって示され、特許請求の範囲またはその均等の範囲において種々の変形を適宜、行うことができる。
【符号の説明】
【００５８】
１  エスカレータ
２  主枠
３  移動手摺
４  欄干パネル
４a、４b、４c、４d、４e  欄干パネル片
５〜９  方向案内灯
５a〜５c、６a〜６c、７a〜７c、８a〜８c、９a〜９c  光源
１０、１１  接続部
１２  光源制御手段
１２a  光源制御部
１２b〜１２f  ドライバ
１３  マンコンベア制御部
【図１】
2018150143.tif 000003
【図２】
2018150143.tif 000004
【図３】
2018150143.tif 000005
【図４】
2018150143.tif 000006